【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
第１制御手段を被包する第１被包部材と、
第２制御手段を被包する第２被包部材と、
それぞれ分離が困難な状態で前記第１被包部材と前記第２被包部材とを一体化する接続部材とを備えている
ことを特徴とする遊技機。
【請求項２】
請求項１に記載の遊技機において、
遊技球が流下する遊技領域が前面に形成された遊技盤を備え、
前記接続部材は、ケーブル状をなし、前記第２被包部材を介して前記遊技盤と前記第１被包部材とを接続するものであることを特徴とする遊技機。
【請求項３】
請求項２に記載の遊技機において、
前記第２被包部材には、その内部空間を前記接続部材が通過するように貫通穴が形成されており、前記内部空間のうち、前記接続部材が通過する領域と前記第２制御基板が位置する領域との間に壁が形成されていることを特徴とする遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
この発明は、パチンコ機やスロットマシン等の遊技機に関する。
【背景技術】
【０００２】
従来、遊技機の代表例として例えばパチンコ機がある。このパチンコ機には、例えば、当該パチンコ機を制御する制御基板を基板ケースに収納した状態でパチンコ機の裏面側に取り付けている。基板ケースは、制御基板の故障時等の点検や不正行為の有無の確認等を行うために、着脱可能となっている（例えば、特許文献１参照）。
【特許文献１】特開２０００−１５７７０６号公報（第３〜４頁，第５図）
【発明の開示】
【発明が解決しようとする課題】
【０００３】
しかしながら、このような構成を有する従来例の場合には、次のような問題がある。
すなわち、従来のパチンコ機では、例えば、基板ケースの開閉機構に対して不正（ぶら下げ等）防止の対策を行う、つまり、基板ケースの開封する際に痕跡を残すような不正防止の対策を施しても、基板ケースがパチンコ機に対して着脱可能であるため、基板ケースごと偽造品（不正品）と取り替えられるおそれがある。この場合には、前記の開封痕跡が無いので不正行為の発見が極めて困難となるという問題がある。
【０００４】
本発明は、このような事情に鑑みてなされたものであって、不正対策に優れた遊技機を提供することを目的とする。
【課題を解決するための手段】
【０００５】
この発明は、このような目的を達成するために、次のような構成をとる。
すなわち、請求項１に記載の発明は、
第１制御手段を被包する第１被包部材と、
第２制御手段を被包する第２被包部材と、
それぞれ分離が困難な状態で前記第１被包部材と前記第２被包部材とを一体化する接続部材とを備えている
ことを特徴とするものである。
【０００６】
また、請求項２に記載の発明は、
遊技球が流下する遊技領域が前面に形成された遊技盤を備え、
前記接続部材は、ケーブル状をなし、前記第２被包部材を介して前記遊技盤と前記第１被包部材とを接続するものである
ことを特徴とするものである。
【０００７】
また、請求項３に記載の発明は、
請求項２に記載の遊技機において、
前記第２被包部材には、その内部空間を前記接続部材が通過するように貫通穴が形成されており、前記内部空間のうち、前記接続部材が通過する領域と前記第２制御基板が位置する領域との間に壁が形成されている
ことを特徴とするものである。
【０００８】
その結果、不正対策に優れた遊技機を提供することができる。
【発明の効果】
【０００９】
この発明に係る遊技機によれば、第１制御基板を被包する第１被包部材と、第２制御手段を被包する第２被包部材と、それぞれ分離が困難な状態で第１被包部材と第２被包部材とを一体化する接続部材とを備えている。
【００１０】
また、遊技球が流下する遊技領域が前面に形成された遊技盤を備え、接続部材は、ケーブル状をなし、第２被包部材を介して遊技盤と第１被包部材とを接続するものである。
【００１１】
また、第２被包部材には、その内部空間を接続部材が通過するように貫通穴が形成されており、内部空間のうち、接続部材が通過する領域と第２制御基板が位置する領域との間に壁が形成されている。
その結果、不正対策に優れた遊技機を提供することができる。
【発明を実施するための最良の形態】
【００１２】
以下、パチンコ遊技機（以下、単に「パチンコ機」という）の各種の実施の形態を、図面に基づいて詳細に説明する。
【実施例１】
【００１３】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００１４】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００１５】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１６】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００１７】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力口２４は、下皿ユニット１３内あるいは背面に設けられたスピーカからの音を出力するための出力口である。
【００１８】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００１９】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００２０】
また、前面枠セット１４は、図１に示すように、上皿１９の左下側の箇所に、遊技者による操作指示（例えば、押下指示）を受ける枠ボタン２０（演出ボタン）を備えている。図４に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００２１】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００２２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿通されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２３】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００２４】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第２の始動口３３ｂにも作動口スイッチ（通過検出スイッチ）が設けられ、この第２の始動口３３ｂへの入球をその作動口スイッチにより検出されるようになっている。すなわち、遊技球の第１の始動口３３ａへの入球または遊技球の第２の始動口３３ｂへの入球のどちらの場合にも、それが始動入賞であることに変わりは無い。
【００２５】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００２６】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００２７】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００２８】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００２９】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００３０】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００３１】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００３２】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００３３】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００３４】
また、遊技盤３０には、図２に示すように、遊技球発射装置３８（図３参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００３５】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００３６】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００３７】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【００３８】
内レール５１及び外レール５２間の球案内通路４９の入口には、当該球案内通路４９の一部を閉鎖するようにして凸部５７が形成されている。この凸部５７は、内レール５１からレールユニット５０下端部にかけて略鉛直方向に設けられ、遊技領域３０ａまで至らず球案内通路４９内を逆流してくるファール球を内枠１２に設けられたファール球通路（図示省略）に導くための役目をなす。なお、遊技盤３０の右下隅部及び左下隅部は、証紙（例えば製造番号が記載されている）等のシール（図２のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図２のＳ１，Ｓ２）を貼着することで、遊技盤３０と証紙との一義性を持たせることができる。
【００３９】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００４０】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００４１】
従って、本実施の形態では、遊技領域３０ａの幅（左右方向の最大幅）は、４１８ｍｍであり、遊技領域３０ａの高さ（上下方向の最大幅）は、４４５ｍｍである。
【００４２】
なお、詳しい図面の開示は省略するが、遊技球発射装置３８には、前面枠セット１４側の球出口（上皿１９の最下流部より通じる球出口）から遊技球が１つずつ供給される。
【００４３】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー３５４等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台４３０に搭載してユニット化すると共に、後述する図４に示した払出制御装置３１１、発射制御装置３１２及び電源装置３１３を他方の取付台に搭載してユニット化している。ここでは便宜上、前者のユニットを「第１制御基板ユニット２０１」と称し、後者のユニットを「第２制御基板ユニット２０２」と称することとする。
【００４４】
また、払出機構部３５２及び保護カバー３５４も１ユニットとして一体化されており、一般に樹脂部分を裏パックと称することもあるため、ここではそのユニットを「裏パックユニット２０３」と称する。各ユニット２０１〜２０３の詳細な構成については後述する。
【００４５】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００４６】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【００４７】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００４８】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００４９】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００５０】
第１制御基板ユニット２０１は略Ｌ字状をなす取付台４３０を有し、この取付台４３０に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる主制御基板ボックス２６３に収容されて構成されている。なお、主制御基板ボックス２６３は、略直方体形状の主制御基板ボックスベース２６４と該主制御基板ボックスベース２６４の開口部を覆う主制御基板ボックスカバー２６５とを備えている。これら該主制御基板ボックスベース２６４と主制御基板ボックスカバー２６５とは封印ユニット４１８によって開封不能に連結され、これにより基板ボックス２６３が封印されている。
【００５１】
封印手段としての封印ユニット４１８は主制御基板ボックスベース２６４と主制御基板ボックスカバー２６５とを開封不能に連結する構成であれば任意の構成が適用できるが、本実施例では、例えば５つの封印部材４１９（後述の図１５参照）が連結された構成となっており、この封印部材４１９の長孔に係止爪を挿通することで主制御基板ボックスベース２６４と主制御基板ボックスカバー２６５とが開封不能に連結されるようになっている。封印ユニット４１８による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット４１８（図示省略）を構成する５つの封印部材４１９のうち、少なくとも一つの封印部材４１９の長孔に係止爪を挿通することにより封印処理が行われる。そして、収容した主制御基板２６１ａの不具合などにより主制御基板ボックス２６３を開封する場合には、係止爪が挿通された封印部材４１９と他の封印部材４１９との連結を切断する。その後、再度封印処理する場合は他の封印部材４１９の長孔に係止爪を挿通する。主制御基板ボックス２６３の開封を行った旨の履歴を当該主制御基板ボックス２６３に残しておけば、主制御基板ボックス２６３を見ることで不正な開封が行われた旨が容易に発見できる。
【００５２】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００５３】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電       ／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００５４】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、主制御基板ボックス２６３を構成する主制御基板ボックスベース２６４と主制御基板ボックスカバー２６５とが封印ユニット４１８によって開封不能に連結され、これにより基板ボックスが封印されている。
【００５５】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００５６】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００５７】
次に、裏パックユニット２０３の構成を説明する。裏パックユニット２０３は、図３に示すように、樹脂成形された裏パック３５１と遊技球の払出機構部３５２とを一体化したものである。
【００５８】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００５９】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００６０】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【００６１】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００６２】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【００６３】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００６４】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００６５】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【００６６】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００６７】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００６８】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００６９】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【００７０】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００７１】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００７２】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００７３】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００７４】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００７５】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００７６】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００７７】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７８】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００７９】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００８０】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８１】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００８２】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００８３】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【００８４】
次に、本発明のパチンコ機のさらなる特徴部分の構成について図３，図６〜図９を用いて説明する。図６は主制御基板ボックスと払出・発射制御基板ボックスとが取り外し防止接続ケーブルで接続されたパチンコ機裏面の斜視図である。図７（ａ）は取り外し防止接続ケーブルを示す概略断面図であり、図７（ｂ）は、第２接続部を拡大した斜視図である。図８は主制御基板ボックスを示す概略側面図である。図９は払出・発射制御基板ボックスを示す概略側面図である。
【００８５】
まず、パチンコ機１０の裏面の構成について図６を用いて説明する。図６に示すようにパチンコ機１０の裏面の上部から中央部にかけて表示制御装置４５（図示省略）、サブ制御装置２６２（図１０参照）などを保護する保護カバー３５４が取付られている。さらに、この保護カバー３５４の下側には、主制御基板２６１ａと電源監視基板２６１ｂとを被包する主制御基板ボックス２６３が配設され、さらに、その下側には払出制御基板３１１ａと発射制御基板３１２ａとを被包する払出・発射制御基板ボックス２７０が配設されている。
【００８６】
さらに、主制御基板ボックス２６３と払出・発射制御基板ボックス２７０とは、取り外し防止接続ケーブル４１０にて接続されている。
【００８７】
この取り外し防止接続ケーブル４１０は、図７（ａ）に示すように主制御基板ボックス２６３に接続される側の第１接続部４１１と、払出・発射制御基板ボックス２７０に接続される側の第２接続部４１２と、第１接続部４１１と第２接続部４１２とを結ぶ部材としてのケーブル部４１３とを備えている。また、ケーブル部４１３は、切断が困難な材質のものが用いられており、例えば、金属製（アルミニウムなど）の細長いワイヤーを編んだものである。また、このワイヤーの長さは、主制御基板ボックス２６３と払出・発射制御基板ボックス２７０と接続するのに十分な長さとし、必要以上に長くないようにしている。
【００８８】
ここで、主制御基板ボックス２６３は、その所定箇所に、取り外し防止接続ケーブル４１０の一端側の第１接続部４１１が挿通可能な大きさの孔である第１挿通孔を備えており、例えば、この第１挿通孔は主制御左端挿通孔４１５である。また、払出・発射制御基板ボックス２７０は、その所定箇所に、取り外し防止接続ケーブル４１０の他端側の第２接続部４１２が挿通可能な大きさの孔である第２挿通孔を備えており、例えば、この第２挿通孔は払出・発射制御挿通孔４１６である。
【００８９】
さらに、取り外し防止接続ケーブル４１０の第１接続部４１１の先端には、係止部４１４が取付けられ、例えば、この係止部４１４は主制御左端挿通孔４１５よりも大きな大きさであり、主制御基板ボックス２６３の縦方向に長いの板状のものである。
【００９０】
また、取り外し防止接続ケーブル４１０の第２接続部４１２の先端には、図７（ｂ）に示すようにその外形が先細りの円錐台形状で、かつ、その先端側から底面の方に向けて空洞部分を備えた形状のものであって、その母線方向に切れ目（切り欠き）が入ったものとしており、第２接続部４１２が払出・発射制御挿通孔４１６に挿通された状態となるとその第２接続部４１２の円錐台形状の底面側が払出・発射制御挿通孔４１６に引っ掛かって抜けないようになっている。つまり、第２接続部４１２の円錐台形状の底面側が返し部４１７に対応する。
【００９１】
つまり、第１接続部４１１が主制御左端挿通孔４１５に挿通された状態および第２接続部４１２が主制御左端挿通孔４１５に挿通された状態から抜け出ることを防止する抜け防止手段である係止部４１４と返し部４１７とを備えている構成となっている。なお、上述した取り外し防止接続ケーブル４１０は本発明の接続部材に相当する。
【００９２】
また、図３に戻り、主制御基板ボックス２６３と払出・発射制御基板ボックス２７０とは、横に長い長方形形状としている。主制御基板ボックス２６３の右端部および払出・発射制御基板ボックス２７０の左端部には、主制御基板ボックス２６３および払出・発射制御基板ボックス２７０を封印するための封印ユニット４１８が備えられている。なお、上述した封印ユニット４１８は本発明の封印手段に相当する。
【００９３】
次に、主制御基板ボックス２６３は、図８に示すように、主制御基板ボックスベース２６４とこの主制御基板ボックスベース２６４の開口部を覆う主制御基板ボックスカバー２６５とを備えている。これら主制御基板ボックスベース２６４と主制御基板ボックスカバー２６５とは封印ユニット４１８によって開封不能に連結され、これにより主制御基板ボックス２６３が封印されている。また、主制御基板ボックス２６３は、図８の右側に示す、遊技利益に関わる抽選を行うＣＰＵ５０１（図４参照）を備えた主制御基板２６１ａと停電等による電源遮断を監視する電源監視基板２６１ｂとを被包する空間である第１制御空間部４２０と、図８の左側に示す、取り外し防止接続ケーブル４１０の第１接続部４１１側に取付けられた係止部４１４が主制御基板ボックス２６３内で係止するための空間である第１接続空間部４２１とに区切られている。
【００９４】
第１接続空間部４２１を形成する箇所の主制御基板ボックス２６３カバーには、取り外し防止接続ケーブル４１０の第２接続部４１２の挿通が可能な大きさで、かつ、係止部４１４よりも小さい大きさの主制御左端挿通孔４１５が備えられている。また、第１接続空間部４２１を形成する箇所の主制御基板ボックス２６３ベースには、係止部４１４を載せる係止台４２２が備えられている。つまり、板状の係止部４１４を係止台４２２に載せ、係止部ネジ４２３で締め付けることにより係止台４２２に固定される構成になっている。したがって、第１接続部４１１側に取付けられた係止部４１４が主制御基板ボックス２６３内で係止され、第１接続部４１１が主制御左端挿通孔４１５に挿通された状態から抜け出ることが防止された状態となっている。なお、係止部４１４が係止台４２２に固定されていない状態であっても、係止部４１４は主制御左端挿通孔４１５よりも大きいので、取り外し防止接続ケーブル４１０が引っ張られても、主制御基板ボックス２６３から抜け出ない構成になっている。
【００９５】
なお、係止部４１４が第１接続部４１１を主制御基板ボックス２６３内で係止される状態とは、係止部４１４と主制御基板ボックス２６３とが常に当接している状態だけでなく、現在当接はしていないが係止部４１４に何らかの力が加わった場合に、係止部４１４と主制御基板ボックス２６３とが当接し第１接続部４１１が主制御左端挿通孔４１５に挿通された状態から抜け出ることが防止された状態も含むものである。
【００９６】
なお、上述した主制御基板２６１ａは本発明の第１制御手段に相当する。上述したＣＰＵ５０１は本発明の抽選手段に相当する。上述した主制御基板ボックス２６３は本発明の第１被包部材に相当する。上述した係止部ネジ４２３および係止台４２２は本発明の固定部材に相当する。
【００９７】
次に、払出・発射制御基板ボックス２７０は、図９に示すように、払出・発射制御基板ボックスベース２７１と、この払出・発射制御基板ボックスベース２７１の開口部を覆う払出・発射制御基板ボックスカバー２７２とを備えている。これら払出・発射制御基板ボックスベース２７１と払出・発射制御基板ボックスカバー２７２とは封印ユニット４１８によって開封不能に連結され、これにより払出・発射制御基板ボックス２７０が封印されている。また、払出・発射制御基板ボックス２７０は、払出制御基板３１１ａおよび発射制御基板３１２ａを被包する空間である第２制御空間部４２４と、取り外し防止接続ケーブル４１０の第２接続部４１２側に取付けられた返し部４１７が払出・発射制御基板ボックス２７０内で引っ掛かる空間である第２接続空間部４２５とに区切られている。
【００９８】
第２接続空間部４２５を形成する箇所の払出・発射制御基板ボックスカバー２７２には、取り外し防止接続ケーブル４１０の第２接続部４１２に取付けられた返し部４１７が挿通可能な大きさの円形状の孔である払出・発射制御挿通孔４１６が備えられている。また、返し部４１７は、第２接続部４１２を払出・発射制御挿通孔４１６に挿通する際には弾性変形することで当該挿通を許容し、かつ、第２接続部４１２を払出・発射制御挿通孔４１６から抜こうとする際には払出・発射制御挿通孔４１６に引っ掛かるものである。
【００９９】
取外し防止接続ケーブルの第２接続部４１２は、中央が空洞で先細りの円錐台形状としているので、この第２接続部４１２を払出・発射制御挿通孔４１６に挿通する際にはその第２接続部４１２自体が弾性変形することで当該挿通が許容され、払出・発射制御挿通孔４１６に挿通される。また、第２接続部４１２が一旦に払出・発射制御挿通孔４１６に挿通された後は、払出・発射制御挿通孔４１６から抜こうとする際には、第２接続部４１２の返し部４１７（第２接続部４１２の底面部分）が払出・発射制御挿通孔４１６に引っ掛かることになり、引き抜けないようになっている。
【０１００】
なお、上述した払出制御基板３１１ａおよび発射制御基板３１２ａは本発明の第２制御手段に相当する。上述した払出・発射制御基板ボックス２７０は本発明の第２被包部材に相当する。
【０１０１】
また、これら主制御基板ボックス２６３，払出・発射制御基板ボックス２７０は、透明な部材（例えば透明樹脂材料など）からなり、主制御基板ボックス２６３により被包されている主制御基板２６１ａ、電源監視基板２６１ｂ、係止部４１４を含む第１接続部４１１および払出・発射制御基板ボックス２７０により被包されている払出制御基板３１１ａ、発射制御基板３１２ａ、返し部４１７を含む第２接続部４１２などを視認可能な構成となっている。
【０１０２】
上述したように、本実施例１のパチンコ機１０によれば、遊技に関する所定の制御である第１制御を司る主制御基板２６１ａと、遊技に関する所定の制御であって第１制御とは別の第２制御を司る払出制御基板３１１ａ，発射制御基板３１２ａと、主制御基板２６１ａを被包する主制御基板ボックス２６３と、払出制御基板３１１ａ，発射制御基板３１２ａを被包する払出・発射制御基板ボックス２７０と、主制御基板ボックス２６３と払出・発射制御基板ボックス２７０とを繋ぐ取り外し防止接続ケーブル４１０と、を備え、主制御基板ボックス２６３は、その所定箇所に、取り外し防止接続ケーブル４１０の一端側の第１接続部４１１が挿通可能な大きさの孔である主制御左端挿通孔４１５を備え、払出・発射制御基板ボックス２７０は、その所定箇所に、取り外し防止接続ケーブル４１０の他端側の第２接続部４１２が挿通可能な大きさの孔である払出・発射制御挿通孔４１６を備え、第１接続部４１１が主制御左端挿通孔４１５に挿通された状態および第２接続部４１２が払出・発射制御挿通孔４１６に挿通された状態から抜け出ることを防止する第１接続部４１１の係止部４１４および第２接続部４１２の返し部４１７を備えている。したがって、主制御基板ボックス２６３と払出・発射制御基板ボックス２７０とが取り外し防止接続ケーブル４１０で繋がれており、係止部４１４によって、第１接続部４１１が主制御左端挿通孔４１５に挿通された状態およびおよび返し部４１７によって、第２接続部４１２が払出・発射制御挿通孔４１６に挿通された状態から抜け出ることを防止しているので、取り外し防止接続ケーブル４１０を切断しなければ、不正行為者が主制御基板２６１ａを被包した主制御基板ボックス２６３だけを取り外したり、払出制御基板３１１ａ，発射制御基板３１２ａを被包した払出・発射制御基板ボックス２７０だけを取り外したりすることができない。ここで、取り外し防止接続ケーブル４１０を切断することで、主制御基板ボックス２６３または払出・発射制御基板ボックス２７０を取り外し、主制御基板２６１ａまたは払出制御基板３１１ａ，発射制御基板３１２ａに不正行為を施したり、主制御基板２６１ａまたは払出制御基板３１１ａ，発射制御基板３１２ａごと不正品に交換したりしても、取り外し防止接続ケーブル４１０が切断された状態であるため、当該切断により不正があったことやその恐れがあったことを確認でき、主制御基板２６１ａを被包した主制御基板ボックス２６３または払出制御基板３１１ａ，発射制御基板３１２ａを被包した払出・発射制御基板ボックス２７０ごと不正品に交換されていることなどの不正行為の発見ができる。
【０１０３】
また、取り外し防止接続ケーブル４１０を損傷させず、主制御基板ボックス２６３または払出・発射制御基板ボックス２７０を破壊し、不正品である主制御基板ボックス２６３または不正品である払出・発射制御基板ボックス２７０の何れかと交換し、不正が行われたことを発見させないようにすることが考えられるが、この取り外し防止接続ケーブル４１０を損傷させず、主制御基板ボックス２６３または払出・発射制御基板ボックス２７０を破壊する作業は、大変な手間隙がかかる。したがって、不正行為者は、主制御基板ボックス２６３または払出・発射制御基板ボックス２７０を破壊する作業を行うことをあきらめることになる。その結果、主制御基板ボックス２６３または払出・発射制御基板ボックス２７０に不正行為が行われることを抑止することができる。
【０１０４】
また、取り外し防止接続ケーブル４１０を切断せず、主制御基板ボックス２６３と払出・発射制御基板ボックス２７０との両方を取り外し、主制御基板２６１ａまたは払出制御基板３１１ａ，発射制御基板３１２ａに不正行為を施したり、主制御基板２６１ａまたは払出制御基板３１１ａ，発射制御基板３１２ａごと不正品に交換したりするには、主制御基板２６１ａを被包した主制御基板ボックス２６３と払出制御基板３１１ａ，発射制御基板３１２ａを被包した払出・発射制御基板ボックス２７０との両方を模倣等して製造しなければならず、不正行為にさらに手間隙がかかることから、主制御基板ボックス２６３と払出・発射制御基板ボックス２７０との両方に不正行為が行われることを抑止することができる。
【０１０５】
その結果、不正対策に優れた遊技機を提供することができる。
【０１０６】
また、抜け防止手段は、第１接続部４１１を主制御基板ボックス２６３内で係止する係止部４１４と、第２接続部４１２を払出・発射制御挿通孔４１６に挿通する際には弾性変形することで当該挿通を許容し、かつ、第２接続部４１２を払出・発射制御挿通孔４１６から抜こうとする際に払出・発射制御挿通孔４１６に引っ掛かる返し部４１７と、を備え、主制御基板ボックス２６３の主制御左端挿通孔４１５は、第２接続部４１２の挿通が可能な大きさで、かつ、係止部４１４よりも小さい大きさのものであり、取り外し防止接続ケーブル４１０は、第２接続部４１２を主制御基板ボックス２６３の内側から主制御左端挿通孔４１５に通して外側に出し、当該主制御左端挿通孔４１５を介した第２接続部４１２が払出・発射制御基板ボックス２７０の払出・発射制御挿通孔４１６に挿通されるので、主制御基板ボックス２６３と払出・発射制御基板ボックス２７０とが取り外し防止接続ケーブル４１０で繋がれており、抜け防止手段の係止部４１４により、取り外し防止接続ケーブル４１０の一端である第１接続部４１１が主制御基板ボックス２６３内で係止され、抜け防止手段の返し部４１７により、取り外し防止接続ケーブル４１０の他端である第２接続部４１２が払出・発射制御挿通孔４１６に引っ掛かるので、第１接続部４１１が主制御左端挿通孔４１５に挿入された状態および第２接続部４１２が払出・発射制御挿通孔４１６に挿入された状態から抜け出ることが防止される。つまり、取り外し防止接続ケーブル４１０を切断しなければ、不正行為者が主制御基板２６１ａを被包した主制御基板ボックス２６３だけを取り外したり、払出制御基板３１１ａ，発射制御基板３１２ａを被包した払出・発射制御基板ボックス２７０だけを取り外したりすることができない。ここで、取り外し防止接続ケーブル４１０を切断することで、主制御基板ボックス２６３または払出・発射制御基板ボックス２７０を取り外し、主制御基板２６１ａまたは払出制御基板３１１ａ，発射制御基板３１２ａに不正行為を施したり、主制御基板２６１ａまたは払出制御基板３１１ａ，発射制御基板３１２ａごと不正品に交換したりしても、取り外し防止接続ケーブル４１０が切断された状態であるため、当該切断により不正があったことやその恐れがあったことを確認でき、主制御基板２６１ａを被包した主制御基板ボックス２６３または払出制御基板３１１ａ，発射制御基板３１２ａを被包した払出・発射制御基板ボックス２７０ごと不正品に交換されていることなどの不正行為の発見ができる。
【０１０７】
また、取り外し防止接続ケーブル４１０を切断せず、かつ取り外し防止接続ケーブル４１０の係止部４１４を損傷させず、主制御基板ボックス２６３を破壊し、不正品である主制御基板ボックス２６３ごと交換しようとする場合、主制御基板ボックス２６３の主制御左端挿通孔４１５は係止部４１４よりも小さい大きさであるため、係止部４１４を不正品である主制御基板ボックス２６３の外側から内側に主制御左端挿通孔４１５を介して挿通することができない。つまり、主制御基板ボックス２６３と払出・発射制御基板ボックス２７０とを取り外し防止接続ケーブル４１０で繋ぐことができない。したがって、主制御基板ボックス２６３と払出・発射制御基板ボックス２７０とが取り外し防止接続ケーブル４１０で繋がれていない状態であることから、不正があったことやその恐れがあったことを確認でき、主制御基板２６１ａを被包した主制御基板ボックス２６３または払出制御基板３１１ａ，発射制御基板３１２ａを被包した払出・発射制御基板ボックス２７０ごと不正品に交換されていることなどの不正行為の発見ができる
【０１０８】
また、取り外し防止接続ケーブル４１０を切断せず、主制御基板ボックス２６３と払出・発射制御基板ボックス２７０との両方を取り外し、主制御基板２６１ａまたは払出制御基板３１１ａ，発射制御基板３１２ａに不正行為を施したり、主制御基板２６１ａまたは払出制御基板３１１ａ，発射制御基板３１２ａごと不正品に交換したりするには、主制御基板２６１ａを被包した主制御基板ボックス２６３と払出制御基板３１１ａ，発射制御基板３１２ａを被包した払出・発射制御基板ボックス２７０との両方を模倣等して製造しなければならず、不正行為にさらに手間隙がかかることから、主制御基板ボックス２６３と払出・発射制御基板ボックス２７０との両方に不正行為が行われることを抑止することができる。
【０１０９】
また、主制御基板ボックス２６３は、主制御基板２６１ａを被包する空間である第１制御空間部４２０と、第１接続部４１１または係止部４１４を被包する空間である第１接続空間部４２１と、に区切られ、第１接続空間部４２１には、取り外し防止接続ケーブル４１０の係止部４１４を固定する固定部材が配設されているので、取り外し防止接続ケーブル４１０の第１接続部４１１が第１制御空間部４２０内の主制御基板２６１ａに接触する恐れがなくなる。つまり、主制御基板２６１ａを損傷させ、主制御基板２６１ａが動作しなくなることを防ぐことができる。また、主制御基板２６１ａの一部が取り外し防止接続ケーブル４１０で隠れて見えないということを防止でき、不正行為を低減させることができる。
【０１１０】
また、主制御基板２６１ａは遊技機本体１０ａ（図１参照）を主として制御する主制御基板２６１ａであり、主制御基板２６１ａは、遊技利益に関わる抽選を行うＣＰＵ５０１を備えているので、主制御基板２６１ａは、遊技機本体１０ａを主として制御し、遊技利益に関わる抽選が行われるため、不正行為者により不正が行われる可能性が高い。したがって、主制御基板２６１ａを被包した主制御基板ボックス２６３と、払出・発射制御基板ボックス２７０とが取り外し防止接続ケーブル４１０で繋がれているので、不正が行われる可能性が高い主制御基板２６１ａについて、不正行為が行われることを抑止することができる。
【０１１１】
また、払出・発射制御基板ボックス２７０は、透明な部材であり、払出・発射制御基板ボックス２７０は当該払出・発射制御基板ボックス２７０を封印するための封印ユニット４１８を備えているので、取り外し防止接続ケーブル４１０を切断し、主制御基板ボックス２６３だけを不正品と交換された場合、払出・発射制御基板ボックス２７０には、第２接続部４１２が収容された状態となっている。ここで、払出・発射制御基板ボックス２７０は、透明な部材であることから第２接続部４１２が収容されている状態を確認できる。つまり、不正があったことやその恐れがあったことを確認でき、主制御基板２６１ａを被包した主制御基板ボックス２６３または払出制御基板３１１ａ，発射制御基板３１２ａを被包した払出・発射制御基板ボックス２７０ごと不正品に交換されていることなどの不正行為の発見ができる。また、払出・発射制御基板ボックス２７０は封印ユニット４１８で封印されているので、不正行為者が払出・発射制御基板ボックス２７０を開け、払出・発射制御基板ボックス２７０に収容されている第２接続部４１２だけを取り除くことができない。したがって、不正を行ったことを隠蔽することができない。
【実施例２】
【０１１２】
次に、実施例２では、取り外し防止接続ケーブル４１０は、主制御基板ボックス２６３とサブ制御基板ボックス２８０との間を接続していることが、前述した実施例１とは異なっている。したがって、実施例２では、実施例１と同様の内容については説明を省略し、以下に、取り外し防止接続ケーブル４１０が主制御基板ボックス２６３とサブ制御基板ボックス２８０との間を接続している場合について詳細に説明することにする。
【０１１３】
実施例２のパチンコ機１０について図１０，図１１を用いて説明する。図１０は主制御基板ボックスとサブ制御基板ボックスとが取り外し防止接続ケーブルで接続されたパチンコ機裏面の斜視図である。図１１は主制御基板ボックスとサブ制御基板ボックスとが取付台に取付けられている斜視図である。図１２は主制御基板ボックスを示す概略側面図である。図１３はサブ制御基板ボックスを示す概略側面図である。
【０１１４】
まず、パチンコ機１０の裏面の構成について図１０を用いて説明する。図１０に示すようにパチンコ機１０の裏面左側の上部から中央部にかけた縦方向にサブ制御基板ボックス２８０が配設され、さらに、このサブ制御基板ボックス２８０の下部は、主制御基板ボックス２６３の左側部と重なるようにして配設され、主制御基板ボックス２６３とサブ制御基板ボックス２８０とは、取り外し防止接続ケーブル４１０で接続されている。
【０１１５】
また、主制御基板ボックス２６３とサブ制御基板ボックス２８０とは、図１１に示すように、略Ｌ字状の取付台４３０上に取付けられ、同様にして主制御基板ボックス２６３とサブ制御基板ボックス２８０とを接続する取り外し防止接続ケーブル４１０も取付台４３０上に配設されている。なお、この取付台４３０は、図１０に示すように遊技盤３０に取付けられ、この遊技盤３０の裏面側における開閉軸Ｊ１を軸心に片開き自在に設けられている。具体的には、取付台４３０は、その左端側に設けられた開閉軸Ｊ１を軸心とし、その右端側を開かせるという片開きを実現している。なお、上述した取付台４３０は本発明の被取付部材に相当する。上述した遊技盤３０は本発明の本体部材に相当する。
【０１１６】
また、取り外し防止接続ケーブル４１０は、主制御基板ボックス２６３に接続する側を第１接続部４１１、サブ制御基板ボックス２８０に接続する側を第２接続部４１２とするものであり、取り外し防止接続ケーブル４１０自体は同じものであるが、図１０，図１１に示されるように、この取り外し防止接続ケーブル４１０は、主制御基板ボックス２６３の左端上部とサブ制御基板ボックス２８０とを接続するものである。つまり、取り外し防止接続ケーブル４１０は、できる限り短い距離にて接続するようになっている。したがって、取り外し防止接続ケーブル４１０は、図１２に示すように、主制御基板ボックス２６３の左端にある突出部で挿通されるのではなく、突出部の右側の一段高くなった箇所に備えらた主制御上部挿通孔４３１で挿通されている。
【０１１７】
また、サブ制御基板ボックス２８０は、図１３に示すように、サブ制御基板２６２ａを被包する空間である第２制御空間部４２４と、取り外し防止接続ケーブル４１０の第２接続部４１２側に取付けられた返し部４１７がサブ制御基板ボックス２８０内で引っ掛かる空間である第２接続空間部４２５とに区切られている。
【０１１８】
第２接続空間部４２５を形成する箇所のサブ制御基板ボックス２８０カバーには、取り外し防止接続ケーブル４１０の第２接続部４１２に取付けられた返し部４１７が挿通可能な大きさの円形状の孔であるサブ制御挿通孔４３２ａが備えられている。また、返し部４１７は、第２接続部４１２をサブ制御挿通孔４３２ａに挿通する際には弾性変形することで当該挿通を許容し、かつ、第２接続部４１２をサブ制御挿通孔４３２ａから抜こうとする際にはサブ制御挿通孔４３２ａに引っ掛かるものである。
【０１１９】
また、図６と図１０とから、わかるように、保護カバー３５４は、サブ制御基板ボックス２８０、取り外し防止接続ケーブル４１０、主制御基板ボックス２６３の主制御上部挿通孔４３１付近を覆うように配設され、これらサブ制御基板ボックス２８０、取り外し防止接続ケーブル４１０は、保護カバー３５４を取り外さないと触れないような構造になっている。なお、上述した保護カバー３５４は本発明の保護部材に相当する。
【０１２０】
なお、上述した主制御上部挿通孔４３１は本発明の第１挿通孔に相当する。上述したサブ制御挿通孔４３２ａは本発明の第２挿通孔に相当する。
【０１２１】
上述したように、実施例２のパチンコ機１０によれば、主制御基板ボックス２６３とサブ制御基板ボックス２８０とが取り付けられる取付台４３０と、取付台４３０が所定箇所に設けられる遊技盤３０と、を備え、取り外し防止接続ケーブル４１０は、取付台４３０に配設されているので、取り外し防止接続ケーブル４１０は、取付台４３０の以外の遊技機本体１０ａに配設された配線などと干渉させることなく配設することができる。
【０１２２】
また、主制御基板２６１ａを被包する主制御基板ボックス２６３に備えられた主制御上部挿通孔４３１と、サブ制御基板ボックス２８０に備えられたサブ制御挿通孔４３２ａと、取り外し防止接続ケーブル４１０とを覆う保護カバー３５４を備えているので、取り外し防止接続ケーブル４１０が保護カバー３５４により覆われているので、容易に取り外し防止接続ケーブル４１０に触れることができず、不正により取り外し防止接続ケーブル４１０が切断されることを防止することができ、またパチンコ機の組み立て作業時に不用意に取り外し防止接続ケーブル４１０と接触することがなく、取り外し防止接続ケーブル４１０を損傷させたりすることがない。
【実施例３】
【０１２３】
次に、実施例３では、取り外し防止接続ケーブル４１０が主制御基板ボックス２６３からサブ制御基板ボックス２８０に接続され、さらに遊技盤３０に接続していることが、前述した実施例２とは異なっている。したがって、実施例３では、実施例１および２と同様の内容については説明を省略し、以下に、サブ制御基板ボックス２８０から遊技盤３０に接続している部分についての取り外し防止接続ケーブル４１０を詳細に説明することにする。
【０１２４】
実施例３のパチンコ機１０について図１４〜図１７を用いて説明する。図１４はパチンコ機の前面枠セットと内枠を開いた状態を示す概略斜視図である。図１５は遊技盤と取付台とサブ制御基板ボックスとを示す分解斜視図である。図１６は、収容ボックスを示す斜視図である。図１７はサブ制御基板ボックスを示す概略側面図である。
【０１２５】
実施例３の取り外し防止接続ケーブル４１０は、図１４に示すようにサブ制御基板ボックス２８０からから遊技盤３０に接続されている。また、遊技盤３０は、図１５，図１６に示すように、第２接続部４１２が挿通可能な大きさの孔である遊技盤挿通孔４３３と、図１４，図１６に示すように遊技盤挿通孔４３３に挿通された状態での取り外し防止接続ケーブル４１０の第２接続部４１２を収容する収容ボックス４４０とを備えている。
【０１２６】
この収納ボックス４４０は、図８に示すように、取外し防止接続ケーブル４１０の接続部４１１が挿入される開口部４４１を備えた収容本体部４４２と、この収容本体部４４２とは別体で収容本体部４４２の開口部４４１に締結部材（例えば、ネジ等）によって取り付けられる、遊技盤挿通孔４３３が形成された取付部材４４３（図１５，図１６参照）とを備えている。
【０１２７】
遊技盤挿通孔４３３は、図１５に示すように、正面視で十字形状でその交点部分に円形の小孔を設けた形状とし、遊技盤３０裏面側で取付台４３０の開閉軸Ｊ１側の所定箇所に、取り外し防止接続ケーブル４１０の先端の第２接続部４１２が挿通される構成となっている。なお、上述した遊技盤挿通孔４３３は本発明の本体部挿通孔に相当する。
【０１２８】
また、収容ボックス４４０は、図１６に示すように、遊技盤挿通孔４３３と、収容本体部４４２の内部とを結ぶ傾斜通路部４４４を備えている。例えば、この傾斜通路部４４４は、取り外し防止接続ケーブル４１０が切断された場合に、その第１接続部４１１を含む取り外し防止接続ケーブル４１０の一部分が当該傾斜通路部４４４を下って収容本体部４４２に案内する下り案内通路である。
【０１２９】
収容ボックス４４０は、図１４に示すように、前面枠セット１４を開いた状態において、収容ボックス４４０の正面側部分である視認部４４５（図１６参照）を通してその内部が見えるようになっている。また、図１に示すように、小窓１０７の奥側位置に収容ボックス４４０が位置しており、前面枠セット１４を閉じた状態においても、この小窓１０７から収容ボックス４４０の視認部４４５を通してその収容ボックス４４０の内部が見えるようになっている。なお、上述した収容ボックス４４０は本発明の収容手段に相当する。
【０１３０】
サブ制御基板ボックス２８０は、図１７に示すように、取り外し防止接続ケーブル４１０の第２接続部４１２が挿通可能な大きさの孔であるサブ制御挿通孔４３２ａ，４３２ｂの２個（図１５に示すサブ制御基板ボックス２８０の正面にある電源中継基板ボックス２８３の下側とサブ制御基板ボックス２８０の下部）に備えられている。また、取り外し防止接続ケーブル４１０の第１接続部４１１は、主制御基板ボックス２６３の主制御上部挿通孔４３１に挿通された状態とし、取り外し防止接続ケーブル４１０の第２接続部４１２は、遊技盤３０の遊技盤挿通孔４３３に挿通された状態とし、取り外し防止接続ケーブル４１０は、主制御基板ボックス２６３から図１７に示される位置のサブ制御基板ボックス２８０のサブ制御挿通孔４３２ａに挿通され、さらに、サブ制御基板ボックス２８０内部を挿通し、サブ制御基板ボックス２８０の下部に備えられたサブ制御挿通孔４３２ｂから遊技盤３０に接続されている。なお、上述したサブ制御挿通孔４３２ａ，４３２ｂは本発明の第２挿通孔に相当する。
【０１３１】
上述したように、実施例３のパチンコ機１０によれば、遊技盤３０は、第２接続部４１２が挿通可能な大きさの孔である遊技盤挿通孔４３３と、遊技盤挿通孔４３３に挿通された状態での取り外し防止接続ケーブル４１０の第２接続部４１２を収容する収容ボックス４４０とを備え、サブ制御基板ボックス２８０は、その所定箇所に、取り外し防止接続ケーブル４１０の他端側の第２接続部４１２が挿通可能な大きさの孔であるサブ制御挿通孔４３２を２個備え、取り外し防止接続ケーブル４１０の一端側の第１接続部４１１は、主制御基板ボックス２６３の主制御上部挿通孔４３１に挿通された状態とし、取り外し防止接続ケーブル４１０の他端側の第２接続部４１２は、遊技盤３０の遊技盤挿通孔４３３に挿通された状態とし、取り外し防止接続ケーブル４１０は、サブ制御基板ボックス２８０に備えられた２個のサブ制御挿通孔４３２を介して、主制御基板ボックス２６３とサブ制御基板ボックス２８０と遊技盤３０とを繋ぐものであるので、主制御基板ボックス２６３とサブ制御基板ボックス２８０と遊技盤３０とが取り外し防止接続ケーブル４１０により繋がった状態であり、主制御基板ボックス２６３とサブ制御基板ボックス２８０とを取り外すために取り外し防止接続ケーブル４１０を切断し、主制御基板ボックス２６３とサブ制御基板ボックス２８０とが取り外され、再び不正な主制御基板ボックス２６３とサブ制御基板ボックス２８０とが取付られた場合でも、収容ボックス４４０に第２接続部４１２が収容されていることから、不正行為が行われたことがわかる。つまり、不正がされた痕跡が残ることになり、不正行為者が不正を行うことをあきらめ、不正行為が行われることが低減される。
【実施例４】
【０１３２】
次に、実施例４では、取り外し防止接続ケーブル４１０が主制御基板ボックス２６３とサブ制御基板ボックス２８０を接続しているか否かの接続状態を監視する監視手段を備えていることが前述した実施例１とは異なっている。したがって、実施例４では、実施例１と同様の内容については説明を省略し、以下に、主制御基板ボックス２６３とサブ制御基板ボックス２８０を接続しているか否かの接続状態を監視する監視手段を詳細に説明することにする。
【０１３３】
実施例４のパチンコ機１０について図１８を用いて説明する。図１８は主制御基板ボックスとサブ制御基板ボックスとの接続状態を監視する監視手段を説明するブロック図である。
【０１３４】
実施例４のパチンコ機１０では、図１８に示すように取り外し防止接続ケーブル４１０が主制御基板ボックス２６３とサブ制御基板ボックス２８０とを接続しているか否かの接続状態を監視する監視手段と、監視手段で監視している接続状態を報知する報知手段とを備えている。
【０１３５】
さらに、この監視手段は、主制御基板２６１ａに備えられた監視に用いる監視情報を生成する監視情報生成部４５０と監視情報生成部４５０で生成された監視情報を送信する送信部４５１と、サブ制御基板２６２ａに備えられた主制御基板２６１ａから送信された監視情報を受信する受信部４５２と、受信部４５２で受信した監視情報に基づいて取り外し防止接続ケーブル４１０が接続されているか否かの判定を行う判定部４５３と、送信部４５１からの監視情報を受信部４５２に伝達するための光ケーブル４５４であり、取り外し防止接続ケーブル４１０と光ケーブル４５４とは、同じ経路に配設されている構成である。以下、これらについて詳細に説明する。
【０１３６】
監視情報生成部４５０は、主制御基板２６１ａに備えられた所定の信号を発生させる信号発生回路と、この信号発生回路で発生させた信号を所定のタイミングで送信する制御を行う主制御基板２６１ａのＣＰＵの一機能からなるものである。また、監視に用いる監視情報としては、例えば、所定のパターンを持つパルス信号が用いられる。
【０１３７】
送信部４５１は、監視情報生成部４５０からの電気信号を光の信号に変換して、光ケーブル４５４を介してサブ制御基板２６２ａに送信する。また、この光ケーブル４５４は、取り外し防止接続ケーブル４１０であるワイヤーにより囲まれており、取り外し防止接続ケーブル４１０と一体化して形成された構造になっている。また、サブ制御基板２６２ａの受信部４５２は、送信部４５１からの光信号を受信し、光信号を電気信号に変換した後に判定部４５３に出力する。
【０１３８】
判定部４５３は、サブ制御基板２６２ａのＣＰＵの一機能からなるものであり、主制御基板２６１ａから送信された信号が正常か異常であるかを判定し、判定結果が異常の場合に、異常であることを示す報知を行うように報知部を制御する。また、取り外し防止接続ケーブル４１０が切断された場合など正常な信号が入力されない場合、判定部４５３は、異常であると判定し、報知手段で報知を行うように制御する。
【０１３９】
報知手段は、サブ制御装置２６２に接続されたスピーカ４５５や前面枠セット１４の前面側で窓部１０１の周囲に備えられたランプ４５６であり、このスピーカ４５５やランプ４５６はサブ制御基板２６２ａからの制御に基づいて音声やランプ表示を行う。例えば、スピーカでは異常であることがわかるように、「接続ケーブルが異常です」などの報知を行い、ランプでは、点滅表示をさせ、正常な状態になるまで、報知を継続する構成となっている。
【０１４０】
なお、上述した監視手段での監視および報知手段での報知は、パチンコ機１０に電源が供給された状態にて実行されるようになっている。
【０１４１】
なお、上述した監視情報生成部４５０は本発明の情報生成手段に相当する。上述した送信部４５１は本発明の送信手段に相当する。上述した判定部４５３は本発明の判定手段に相当する。光ケーブル４５４は本発明の伝達手段に相当する。
【０１４２】
上述したように、実施例４のパチンコ機１０によれば、取り外し防止接続ケーブル４１０が主制御基板ボックス２６３とサブ制御基板ボックス２８０とを接続しているか否かの接続状態を監視する監視手段と、監視手段で監視している接続状態を報知する報知手段とを備えているので、例えば、不正行為者が取り外し防止接続ケーブル４１０を切断した場合は、取り外し防止接続ケーブル４１０を切断したことが報知手段により報知されるので、不正行為者が不正を行うことをあきらめ、不正行為が行われることが低減される。また、取り外し防止接続ケーブル４１０を切断したことが報知手段により報知されので、遊技場関係者は不正がされた状態を認識することができ、不正行為がされたことを確認し、正常な基板や部材と交換し、遊技者に正常な遊技を提供することができる。
【０１４３】
また、監視手段は、主制御基板２６１ａに備えられた、監視に用いる監視情報を生成する監視情報生成部４５０と監視情報生成部４５０で生成された監視情報を送信する送信部４５１と、サブ制御基板２６２ａに備えられた、送信部４５１から送信された監視情報を受信する受信部４５２と受信部４５２で受信した監視情報に基づいて取り外し防止接続ケーブル４１０が接続されているか否かの判定を行う判定部４５３と、送信部４５１からの監視情報を受信部４５２に伝達するための光ケーブル４５４とであり、取り外し防止接続ケーブル４１０と光ケーブル４５４とは、一体に配設されているので、取り外し防止接続ケーブル４１０を切断し、主制御基板ボックス２６３とサブ制御基板ボックス２８０とを切り離そうとすると、光ケーブル４５４も切断されることになり、送信部４５１から送信された監視情報が受信部４５２で受信することができず、判定部４５３で取り外し防止接続ケーブル４１０が接続されていない判定がされる。つまり、監視手段は、取り外し防止接続ケーブル４１０が切断された状態を確実に監視することができる。
【０１４４】
また、伝達手段は光ケーブルであるので、光ケーブル４５４は一度切断すると、切断された箇所を繋ぎ、元の状態に戻すことが難しいので、光ケーブル４５４を切断し不正な行為を行った場合は、不正を行ったことを発見されないようにすることは難しい。つまり、不正行為の低減の抑止力となる。
【０１４５】
この発明は、上記実施形態に限られることはなく、下記のように変形実施することができる。
【０１４６】
（１）上述した実施例１，２では、抜け防止手段は、取り外し防止接続ケーブル４１０側の係止部４１４、返し部４１７により、第１接続部４１１が主制御左端挿通孔４１５または主制御上部挿通孔４３１に挿通された状態および第２接続部４１２が払出・発射制御挿通孔４１６またはサブ制御挿通孔４３２ａに挿通された状態から抜け出ることを防止することを実現するようにしていたが、主制御基板ボックス２６３、払出・発射制御基板ボックス２７０、サブ制御基板ボックス２８０側などに、第１接続部４１１が主制御左端挿通孔４１５または主制御上部挿通孔４３１に挿通された状態および第２接続部４１２が払出・発射制御挿通孔４１６またはサブ制御挿通孔４３２ａに挿通された状態から抜け出ることを防止するものを備えるようにしてもよい。
【０１４７】
（２）上述した実施例１では、第２制御手段を払出制御基板３１１ａと発射制御基板３１２ａとし、実施例２，３では、第２制御手段をサブ制御基板２６２ａとしていたが、第２制御手段をその他の制御基板、例えば電源基板などとして実施するようにしてもよい。
【０１４８】
（３）上述した実施例１，４では、取り外し防止接続ケーブル４１０の第１接続部４１１に係止部４１４を備え、第２接続部４１２に返し部４１７を備えるようにしていたが、取り外し防止接続ケーブル４１０の第１接続部４１１および第２接続部４１２とも返し部４１７を備えるようにしてもよい。つまり、第１接続部４１１を第１挿通孔に挿通する際には弾性変形することで当該挿通を許容し、かつ、第１接続部４１１を第１挿通孔から抜こうとする際に第１挿通孔に引っ掛かる第１返し部と、第２接続部４１２を第２挿通孔に挿通する際には弾性変形することで当該挿通を許容し、かつ、第２接続部４１２を第２挿通孔から抜こうとする際に第２挿通孔に引っ掛かる第２返し部と備えるようにしてもよい。したがって、第１接続部４１１が第１挿通孔から抜け出ることを防止でき、第２接続部４１２が第２挿通孔から抜け出ることを防止でき、抜け防止手段を好適に実現できる。
【０１４９】
（４）上述した各実施例では、本体部材として遊技盤３０としているが、内枠１２等としても良い。
【０１５０】
（５）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１５１】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１５２】
なお、本明細書は、次のような遊技機に係る発明も開示している。
【０１５３】
（０）遊技に関する所定の制御である第１制御を司る第１制御手段と、
遊技に関する所定の制御であって前記第１制御とは別の第２制御を司る第２制御手段と、
前記第１制御手段を被包する第１被包部材と、
前記第２制御手段を被包する第２被包部材と、
前記第１被包部材と前記第２被包部材とを繋ぐ接続部材と、
を備え、
前記第１被包部材は、その所定箇所に、前記接続部材の一端側の第１接続部が挿通可能な大きさの孔である第１挿通孔を備え、
前記第２被包部材は、その所定箇所に、前記接続部材の他端側の第２接続部が挿通可能な大きさの孔である第２挿通孔を備え、
前記第１接続部が前記第１挿通孔に挿通された状態および前記第２接続部が前記第２挿通孔に挿通された状態から抜け出ることを防止する抜け防止手段を備えている
ことを特徴とする遊技機。
【０１５４】
前記（０）に記載の発明によれば、第１制御手段は、遊技に関する所定の制御である第１制御を司るものであって、第１被包部材により被包される。第２制御手段は、遊技に関する所定の制御であって第１制御とは別の第２制御を司り、第２被包部材により被包される。接続部材は第１被包部材と第２被包部材とを繋ぐ。第１被包部材は、その所定箇所に、接続部材の一端側の第１接続部が挿通可能な大きさの孔である第１挿通孔を備え、第２被包部材は、その所定箇所に、接続部材の他端側の第２接続部が挿通可能な大きさの孔である第２挿通孔を備えている。抜け防止手段は、第１接続部が第１挿通孔に挿通された状態および第２接続部が第２挿通孔に挿通された状態から抜け出ることを防止する。
【０１５５】
したがって、第１被包部材と第２被包部材とが接続部材で繋がれており、抜け防止手段によって、第１接続部が第１挿通孔に挿通された状態および第２接続部が第２挿通孔に挿通された状態から抜け出ることを防止しているので、接続部材を切断しなければ、不正行為者が第１制御手段を被包した第１被包部材だけを取り外したり、第２制御手段を被包した第２被包部材だけを取り外したりすることができない。ここで、接続部材を切断することで、第１被包部材または第２被包部材を取り外し、第１制御手段または第２制御手段に不正行為を施したり、第１制御手段または第２制御手段ごと不正品に交換したりしても、接続部材が切断された状態であるため、当該切断により不正があったことやその恐れがあったことを確認でき、第１制御手段を被包した第１被包部材または第２制御手段を被包した第２被包部材ごと不正品に交換されていることなどの不正行為の発見ができる。
【０１５６】
また、接続部材を損傷させず、第１被包部材または第２被包部材を破壊し、不正品である第１被包部材または不正品である第２被包部材の何れかと交換し、不正が行われたことを発見させないようにすることが考えられるが、この接続部材を損傷させず、第１被包部材または第２被包部材を破壊する作業は、大変な手間隙がかかる。したがって、不正行為者は、第１被包部材または第２被包部材を破壊する作業を行うことをあきらめることになる。その結果、第１被包部材または第２被包部材に不正行為が行われることを抑止することができる。
【０１５７】
また、接続部材を切断せず、第１被包部材と第２被包部材との両方を取り外し、第１制御手段または第２制御手段に不正行為を施したり、第１制御手段または第２制御手段ごと不正品に交換したりするには、第１制御手段を被包した第１被包部材と第２制御手段を被包した第２被包部材との両方を模倣等して製造しなければならず、不正行為にさらに手間隙がかかることから、第１被包部材と第２被包部材との両方に不正行為が行われることを抑止することができる。
【０１５８】
これらの結果、不正対策に優れた遊技機を提供することができる。
【０１５９】
なお、本明細書は、次のような遊技機に係る発明も開示している。
【０１６０】
（１）  前記（０）に記載の遊技機において、
前記抜け防止手段は、
前記第１接続部を前記第１挿通孔に挿通する際には弾性変形することで当該挿通を許容し、かつ、前記第１接続部を前記第１挿通孔から抜こうとする際に前記第１挿通孔に引っ掛かる第１返し部と、
前記第２接続部を前記第２挿通孔に挿通する際には弾性変形することで当該挿通を許容し、かつ、前記第２接続部を前記第２挿通孔から抜こうとする際に前記第２挿通孔に引っ掛かる第２返し部と、
を備えている
ことを特徴とする遊技機。
【０１６１】
前記（１）に記載の発明によれば、抜け防止手段は、第１返し部と第２返し部とを備えている。第１返し部は、第１接続部を第１挿通孔に挿通する際には弾性変形することで当該挿通を許容し、かつ、第１接続部を第１挿通孔から抜こうとする際に第１挿通孔に引っ掛かる。第２返し部は、第２接続部を第２挿通孔に挿通する際には弾性変形することで当該挿通を許容し、かつ、第２接続部を第２挿通孔から抜こうとする際に第２挿通孔に引っ掛かる。したがって、第１接続部が第１挿通孔から抜け出ることを防止でき、第２接続部が第２挿通孔から抜け出ることを防止でき、抜け防止手段を好適に実現できる。
【０１６２】
（２）  前記（０）に記載の遊技機に記載の遊技機において、
前記抜け防止手段は、
前記第１接続部を前記第１被包部材内で係止する係止部と、
前記第２接続部を前記第２挿通孔に挿通する際には弾性変形することで当該挿通を許容し、かつ、前記第２接続部を前記第２挿通孔から抜こうとする際に前記第２挿通孔に引っ掛かる返し部と、
を備え、
前記第１被包部材の前記第１挿通孔は、前記第２接続部の挿通が可能な大きさで、かつ、前記係止部よりも小さい大きさのものであり、
前記接続部材は、前記第２接続部を前記第１被包部材の内側から前記第１挿通孔に通して外側に出し、当該第１挿通孔を介した前記第２接続部が前記第２被包部材の前記第２挿通孔に挿通される
ことを特徴とする遊技機。
【０１６３】
前記（２）に記載の発明によれば、抜け防止手段は係止部と返し部と備え、係止部第１接続部を第１被包部材内で係止する。返し部は、第２接続部を第２挿通孔に挿通する際には弾性変形することで当該挿通を許容し、かつ、第２接続部を第２挿通孔から抜こうとする際に第２挿通孔に引っ掛かる。第１被包部材の第１挿通孔は、第２接続部の挿通が可能な大きさで、かつ、係止部よりも小さい大きさのものであり、接続部材は、第２接続部を第１被包部材の内側から第１挿通孔に通して外側に出し、当該第１挿通孔を介した第２接続部が第２被包部材の第２挿通孔に挿通される。
【０１６４】
したがって、第１被包部材と第２被包部材とが接続部材で繋がれており、抜け防止手段の係止部により、接続部材の一端である第１接続部が第１被包部材内で係止され、抜け防止手段の返し部により、接続部材の他端である第２接続部が第２挿通孔に引っ掛かるので、第１接続部が第１挿入孔に挿入された状態および第２接続部が第２挿入孔に挿入された状態から抜け出ることが防止される。つまり、接続部材を切断しなければ、不正行為者が第１制御手段を被包した第１被包部材だけを取り外したり、第２制御手段を被包した第２被包部材だけを取り外したりすることができない。ここで、接続部材を切断することで、第１被包部材または第２被包部材を取り外し、第１制御手段または第２制御手段に不正行為を施したり、第１制御手段または第２制御手段ごと不正品に交換したりしても、接続部材が切断された状態であるため、当該切断により不正があったことやその恐れがあったことを確認でき、第１制御手段を被包した第１被包部材または第２制御手段を被包した第２被包部材ごと不正品に交換されていることなどの不正行為の発見ができる。
【０１６５】
また、接続部材を切断せず、かつ接続部材の係止部を損傷させず、第１被包部材を破壊し、不正品である第１被包部材ごと交換しようとする場合、第１被包部材の第１挿通孔は係止部よりも小さい大きさであるため、係止部を不正品である第１被包部材の外側から内側に第１挿通孔を介して挿通することができない。つまり、第１被包部材と第２被包部材とを接続部材で繋ぐことができない。したがって、第１被包部材と第２被包部材とが接続部材で繋がれていない状態であることから、不正があったことやその恐れがあったことを確認でき、第１制御手段を被包した第１被包部材または第２制御手段を被包した第２被包部材ごと不正品に交換されていることなどの不正行為の発見ができる。
【０１６６】
また、接続部材を切断せず、第１被包部材と第２被包部材との両方を取り外し、第１制御手段または第２制御手段に不正行為を施したり、第１制御手段または第２制御手段ごと不正品に交換したりするには、第１制御手段を被包した第１被包部材と第２制御手段を被包した第２被包部材との両方を模倣等して製造しなければならず、不正行為にさらに手間隙がかかることから、第１被包部材と第２被包部材との両方に不正行為が行われることを抑止することができる。
【０１６７】
（３）  前記（０）に記載の遊技機、または、前記（１）または（２）のいずれかに記載の遊技機において、
前記第１被包部材は、
前記第１制御手段を被包する空間である第１制御空間部と、
前記第１接続部または前記係止部を被包する空間である第１接続空間部と、
に区切られ、
前記第１接続空間部には、前記接続部材の前記係止部を固定する固定部材が配設されている
ことを特徴とする遊技機。
【０１６８】
前記（３）に記載の発明によれば、第１被包部材は、第１制御手段を被包する空間である第１制御空間部と、接続部材の第１接続部または係止部を被包する空間である第１接続空間部と、に区切られている。第１接続空間部に配設された固定部材は、接続部材の第１接続部または係止部を固定する。したがって、接続部材の第１接続部が第１制御空間部内の第１制御手段に接触する恐れがなくなる。つまり、第１制御手段を損傷させ、第１制御手段が動作しなくなることを防ぐことができる。また、第１制御手段の一部が接続部材で隠れて見えないということを防止でき、不正行為を低減させることができる。
【０１６９】
（４）  前記（０）に記載の遊技機、または、前記（１）から（３）のいずれか一つに記載の遊技機において、
前記第１被包部材と前記第２被包部材とが取り付けられる被取付部材と、
前記被取付部材が所定箇所に設けられる本体部材と、
を備え、
前記接続部材は、前記被取付部材に配設されていることを特徴とする遊技機。
【０１７０】
前記（４）に記載の発明によれば、被取付部材は第１被包部材と第２被包部材とを取り付ける。本体部材は被取付部材が所定箇所に設けられる。接続部材は被取付部材に配設されている。したがって、接続部材は、被取付部材の以外の遊技機本体に配設された配線などと干渉させることなく配設することができる。
【０１７１】
（５）  前記（４）に記載の遊技機において、
前記本体部材は、
前記第２接続部が挿通可能な大きさの孔である本体部挿通孔と、
前記本体部挿通孔に挿通された状態での前記接続部材の前記第２接続部を収容する収容手段と
を備え、
前記第２被包部材は、その所定箇所に、前記接続部材の他端側の前記第２接続部が挿通可能な大きさの孔である前記第２挿通孔を２個備え、
前記接続部材の一端側の前記第１接続部は、前記第１被包部材の前記第１挿通孔に挿通された状態とし、
前記接続部材の他端側の前記第２接続部は、前記本体部材の前記本体部挿通孔に挿通された状態とし、
前記接続部材は、前記第２被包部材に備えられた２個の前記第２挿通孔を介して、前記第１被包部材と前記第２被包部材と前記本体部材とを繋ぐものである
ことを特徴とする遊技機。
【０１７２】
前記（５）に記載の発明によれば、本体部材は、本体部挿通孔と収容手段とを備え、本体部挿通孔は、第２接続部が挿通可能な大きさの孔である。収容手段は、本体部挿通孔に挿通された状態での接続部材の第２接続部を収容する。第２被包部材は、その所定箇所に、接続部材の他端側の第２接続部が挿通可能な大きさの孔である第２挿通孔を２個備えている。接続部材の一端側の第１接続部は、第１被包部材の第１挿通孔に挿通された状態とする。接続部材の他端側の第２接続部は、本体部材の本体部挿通孔に挿通された状態とする。接続部材は、第２被包部材に備えられた２個の第２挿通孔を介して、第１被包部材と第２被包部材と本体部材とを繋ぐものである。したがって、第１被包部材と第２被包部材と本体部材とが接続部材により繋がった状態であり、第１被包部材と第２被包部材とを取り外すために接続部材を切断し、第１被包部材と第２被包部材とが取り外され、再び不正な第１被包部材と第２被包部材とが取付られた場合でも、収容手段に第２接続部が収容されていることから、不正行為が行われたことがわかる。つまり、不正がされた痕跡が残ることになり、不正行為者が不正を行うことをあきらめ、不正行為が行われることが低減される。
【０１７３】
（６）  前記（０）に記載の遊技機、または、前記（１）から（５）のいずれか一つに記載の遊技機において、
前記第２被包部材は透明な部材であり、
前記第２被包部材は当該第２被包部材を封印するための封印手段を備えていることを特徴とする遊技機。
【０１７４】
前記（６）に記載の発明によれば、第２被包部材は、透明な部材である。封印手段は、第２被包部材を封印する。したがって、接続部材を切断し、第１被包部材だけを不正品と交換された場合、第２被包部材には、第２接続部が収容された状態となっている。ここで、第２被包部材は、透明な部材であることから第２接続部が収容されている状態を確認できる。つまり、不正があったことやその恐れがあったことを確認でき、第１制御手段を被包した第１被包部材または第２制御手段を被包した第２被包部材ごと不正品に交換されていることなどの不正行為の発見ができる。また、第２被包部材は封印手段で封印されているので、不正行為者が第２被包部材を開け、第２被包部材に収容されている第２接続部だけを取り除くことができない。したがって、不正を行ったことを隠蔽することができない。
【０１７５】
（７）  前記（０）に記載の遊技機、または、前記（１）から（６）のいずれか一つに記載の遊技機において、
前記第１制御手段は遊技機本体を主として制御する主制御基板であり、
前記主制御基板は、遊技利益に関わる抽選を行う抽選手段を備えていることを特徴とする遊技機。
【０１７６】
前記（７）に記載の発明によれば、第１制御手段である主制御基板は、遊技機本体を主として制御し、さらに主制御基板に備えられた抽選手段は、遊技上の利益を得ることができるか否かの抽選を行う。したがって、主制御基板は、遊技機本体を主として制御し、遊技利益に関わる抽選が行われるため、不正行為者により不正が行われる可能性が高い。したがって、主制御基板を被包した第１被包部材と第２被包部材とが接続部材で繋がれているので、不正が行われる可能性が高い主制御基板について、上述した前記（０）と同様の効果を得ることができる。
【０１７７】
（８）  前記（６）または（７）に記載の遊技機において、
前記主制御基板を被包する前記第１被包部材に備えられた前記第１挿通孔と、前記第２被包部材に備えられた前記第２挿通孔と、前記接続部材とを覆う保護部材を備えていることを特徴とする遊技機。
【０１７８】
前記（８）に記載の発明によれば、保護部材は、主制御基板を被包する第１被包部材に備えられた第１挿通孔と、第２被包部材に備えられた第２挿通孔と、接続部材とを覆っている。したがって、接続部材が保護部材により覆われているので、容易に接続部材に触れることができず、不正により接続部材が切断されることを防止することができ、またパチンコ機の組み立て作業時に不用意に接続部材と接触することがなく、接続部材を損傷させたりすることがない。
【０１７９】
（９）  前記（０）に記載の遊技機、または、前記（１）から（８）のいずれか一つに記載の遊技機において、
前記接続部材が前記第１被包部材と前記第２被包部材とに接続されているか否かの接続状態を監視する監視手段と、前記監視手段で監視している接続状態を報知する報知手段とを備えていることを特徴とする遊技機。
【０１８０】
前記（９）に記載の発明によれば、監視手段は、接続部材が第１被包部材と第２被包部材に接続されているか否かの接続状態を監視する。報知手段は、監視手段で監視している接続状態を報知する。したがって、例えば、不正行為者が接続部材を切断した場合は、接続部材を切断したことが報知手段により報知されるので、不正行為者が不正を行うことをあきらめ、不正行為が行われることが低減される。また、接続部材を切断したことが報知手段により報知されので、遊技場関係者は不正がされた状態を認識することができ、不正行為がされたことを確認し、正常な基板や部材と交換し、遊技者に正常な遊技を提供することができる。
【０１８１】
（１０）  前記（９）に記載の遊技機において、
前記監視手段は、
前記第１制御手段に備えられた、監視に用いる監視情報を生成する監視情報生成手段と前記監視情報生成手段で生成された監視情報を送信する送信手段と、
前記第２制御手段に備えられた、前記送信手段から送信された監視情報を受信する受信手段と、
前記受信手段で受信した監視情報に基づいて前記接続部材が接続されているか否かの判定を行う判定手段と、
前記送信手段からの監視情報を前記受信手段に伝達するための伝達手段と、
を備え、
前記接続部材と前記伝達手段とが一体に配設されていることを特徴とする遊技機。
【０１８２】
前記（１０）に記載の発明によれば、監視手段は、第１制御手段に備えられた、監視情報生成手段と送信手段、第２制御手段に備えられた受信手段と判定手段、伝達手段とであり、監視情報生成手段は、第１制御手段に備えられた監視に用いる監視情報を生成する。送信手段は、監視情報生成手段で生成された監視情報を送信する。受信手段は、送信手段から送信された監視情報を受信する。判定手段は、受信手段で受信した監視情報に基づいて接続部材が接続されているか否かの判定を行う。伝達手段は、送信手段からの監視情報を受信手段に伝達する。接続部材と伝達手段とが一体に配設されている。したがって、接続部材を切断し、第１被包部材と第２被包部材とを切り離そうとすると、伝達手段も切断されることになり、送信手段から送信された監視情報が受信手段で受信することができず、判定手段で接続部材が接続されていない判定がされる。つまり、監視手段は、接続部材が切断された状態を確実に監視することができる。
【０１８３】
（１１）  前記（１０）に記載の遊技機において、
前記伝達手段は光ケーブルであることを特徴とする遊技機。
【０１８４】
前記（１１）に記載の発明によれば、伝達手段は光ケーブルである。したがって、光ケーブルは一度切断すると、切断された箇所を繋ぎ、元の状態に戻すことが難しいので、光ケーブルを切断し不正な行為を行った場合は、不正を行ったことを発見されないようにすることは難しい。つまり、不正行為の低減の抑止力となる。
【０１８５】
（１２）  前記（０）に記載の遊技機、または、前記（１）から（１１）のいずれか一つに記載の遊技機において、
前記遊技機はパチンコ機であることを特徴とする遊技機。
【０１８６】
前記（１２）に記載の遊技機によれば、不正対策に優れたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１８７】
（１３）  前記（０）に記載の遊技機、または、前記（１）から（１１）のいずれか一つに記載の遊技機において、
前記遊技機はスロットマシンであることを特徴とする遊技機。
【０１８８】
前記（１３）に記載の遊技機によれば、不正対策に優れたスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【０１８９】
前記（１４）  前記（０）に記載の遊技機、または、前記（１）から（１１）のいずれか一つに記載の遊技機において、
前記遊技機はパチンコ機とスロットマシンとを融合させたものであることを特徴とする遊技機。
【０１９０】
前記（１４）に記載の遊技機によれば、不正対策に優れた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【産業上の利用可能性】
【０１９１】
以上のように、この発明は、パチンコ機やスロットマシン等の遊技機に適している。
【図面の簡単な説明】
【０１９２】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】主制御基板ボックスと払出・発射制御基板ボックスとが取り外し防止接続ケーブルで接続されたパチンコ機裏面の斜視図である。
【図７】（ａ）は取り外し防止接続ケーブルを示す概略断面図であり、（ｂ）は第２接続部を拡大した斜視図である。
【図８】実施例１の主制御基板ボックスを示す概略側面図である。
【図９】払出・発射制御基板ボックスを示す概略側面図である。
【図１０】主制御基板ボックスとサブ制御基板ボックスとが取り外し防止接続ケーブルで接続されたパチンコ機裏面の斜視図である。
【図１１】主制御基板ボックスとサブ制御基板ボックスとが取付台に取付けられている斜視図である。
【図１２】実施例２の主制御基板ボックスを示す概略側面図である。
【図１３】実施例２のサブ制御基板ボックスを示す概略側面図である。
【図１４】パチンコ機の前面枠セットと内枠を開いた状態を示す概略斜視図である。
【図１５】遊技盤と取付台とサブ制御基板ボックスとを示す分解斜視図である。
【図１６】収容ボックスを示す斜視図である。
【図１７】実施例３のサブ制御基板ボックスを示す概略側面図である。
【図１８】主制御基板ボックスとサブ制御基板ボックスとの接続状態を監視する監視手段を説明するブロック図である。
【符号の説明】
【０１９３】
３０    …  遊技盤（本体部材）
２６１ａ…  主制御基板（第１制御手段）
２６２ａ…  サブ制御基板（第２制御手段）
２６３  …  主制御基板ボックス（第１被包部材）
２７０  …  払出・発射制御基板ボックス（第２被包部材）
２８０  …  サブ制御基板ボックス（第２被包部材）
３１１ａ…  払出制御基板（第２制御手段）
３１２ａ…  発射制御基板（第２制御手段）
３５４  …  保護カバー（保護部材）
４１０  …  取し外し防止接続ケーブル（接続部材）
４１４  …  係止部（抜け防止手段）
４１５  …  主制御左端挿通孔（第１挿通孔）
４１６  …  払出・発射制御挿通孔（第２挿通孔）
４１７  …  返し部（抜け防止手段）
４１８  …  封印ユニット（封印手段）
４２０  …  第１制御空間部
４２１  …  第１接続空間部
４２２  …  係止台
４２３  …  係止部ネジ
４３０  …  取付台（被取付部材）
４３１  …  主制御上部挿通孔（第１挿通孔）
４３２ａ…  サブ制御挿通孔（第２挿通孔）
４３２ｂ…  サブ制御挿通孔（第２挿通孔）
４３３  …  遊技盤挿通孔（本体部挿通孔）
４４０  …  収容ボックス（収容手段）
４５０  …  監視情報生成部（監視情報生成手段）
４５１  …  送信部（送信手段）
４５２  …  受信部（受信手段）
４５３  …  判定部（判定手段）
４５４  …  光ケーブル（伝達手段）
５０１  …  ＣＰＵ（抽選手段）